(57)【要約】【課題】特許文献１に記載のアンテナ角度調整方法は水平方向軸１を有するアンテナ１には適用することができるが、図９に示す水平方向軸がないホーンアンテナ１Ａに適用することができない。また、特許文献２に記載のアンテナ方位角調整方法は地図上で方位角を求めるため、方位角の調整作業が煩雑で、誤差を生じ易く、しかもアンテナの仰角を調整することができない。【解決手段】本発明のアンテナ設置角度調整装置１０は、互いに対向する二つのホーンアンテナ２０Ａ、２０Ｂそれぞれの設置位置を調整する際に、各ホーンアンテナ２０Ａ、２０Ｂの開口部にそれぞれ装着して用いられ、各ホーンアンテナ２０Ａ、２０Ｂの開口部に装着され且つそれぞれの開口部の大きさに応じて拡縮する枠体１１と、枠体１１に取り付けられ且つ互いに対向するホーンアンテナ２０Ａ、２０Ｂの設置角度をそれぞれ調整する角度調整機構１２と、を備えている。【選択図】図１
2006203374.tif 000002
【特許請求の範囲】
【請求項１】
互いに対向する二つの開口アンテナそれぞれの設置位置を調整する際に、上記各開口アンテナの開口部にそれぞれ装着して用いられるアンテナ設置角度調整装置であって、上記開口部に装着され且つ上記開口部の大きさに応じて拡縮する枠体と、この枠体に取り付けられ且つ互いに対向する開口アンテナの設置角度をそれぞれ調整する角度調整機構と、を備えたことを特徴とするアンテナ設置角度調整装置。
【請求項２】
上記角度調整機構は、上記枠体の一辺中央に取り付けられた角度測定用の目盛または目盛板と、この目盛または目盛板の基点に一端が連結される紐と、を有することを特徴とする請求項１に記載のアンテナ設置角度調整装置。
【請求項３】
上記枠体は、一対の支柱と、これら一対の支柱に従ってそれぞれ移動自在に取り付けられた一対のガイド支柱と、これら一対のガイド支柱に従って上記各支柱の間隔を拡縮調整する調整部材と、を有することを特徴とする請求項１または請求項２に記載のアンテナ設置角度調整装置。
【請求項４】
上記調整部材は、上記ガイド支柱の両端部にそれぞれ取り付けられたネジ部材と、このネジ部材に装着された弾性部材と、を有することを特徴とする請求項１〜請求項３のいずれか１項に記載のアンテナ設置角度調整装置。
【発明の詳細な説明】
【技術分野】
【０００１】
本発明は、開口アンテナに装着して用いられるアンテナ設置角度調整装置に関し、更に詳しくは、互いに対向する二つの開口アンテナそれぞれの設置角度を正確に調整することができるアンテナ設置角度調整装置に関するものである。
【背景技術】
【０００２】
アンテナの設置角度を調整する方法については、例えば特許文献１に記載のアンテナ角度調整方法や、特許文献２に記載のアンテナ方位角調整方法がある。
【０００３】
特許文献１に記載のアンテナ角度調整方法では、図８に示すように、アンテナ１の水平方向軸３の基端にレーザ発光器５を取り付けると共にその先端部に照準６を取り付け、レーザ発光器５から照準６を通るようにレーザ光Ｌを発光し、そのレーザ光Ｌが所定の位置や線に沿うようにアンテナ１の水平方向軸３の向きを調整して、アンテナ１を固定するようにしている。更に云えば、レーザ発光器５からレーザ光Ｌを発光すれば、レーザ光Ｌは照準６を通してその先の被測定パネル７に照射される。その状態でアンテナ１の水平方向軸３を水平器等で水平に合わせるか、または支柱２を垂直に合わせることにより、レーザ光Ｌを被測定パネル７の中心に合わせることにより、アンテナ１の高さ位置が被測定パネル７の中心Ｏと同一になる。
【０００４】
また、特許文献２に記載のアンテナ方位角調整方法では、アンテナの設置位置を含む地図上で、アンテナ本体の所望の方位角方向と地図上で選択した所定の目標物との間の角度を求め、次に、目盛板、指示板を用いてアンテナ本体のアンテナ方位角方向とスコープとの間の角度を地図上で求めた角度に固定し、その後、スコープで目標物が見える位置までアンテナ本体を回転することにより、アンテナ本体の方位角を所望の方位角に調整する。
【０００５】
【特許文献１】特開平０９−２９８４１５号公報
【特許文献１】特開２００２−０８４１１５号公報
【発明の開示】
【発明が解決しようとする課題】
【０００６】
しかしながら、特許文献１に記載のアンテナ角度調整方法の場合には、方位角調整機構としての水平方向軸３、レーザ発光器５及び照準６がアンテナ１として一体化しており、レーザ発光器５から水平方向軸３に沿って照準６を通るようにレーザ光Ｌを発光し、レーザ光Ｌが被測定パネル７等の被測定物の目標位置に当たるようにアンテナ１の方位角を調整するため、屋外のオープンサイトにアンテナを設置する場合には直射日光の影響でレーザ光Ｌが見え難く、延いては正確な目標位置を定め難く、アンテナ１の方位角を正確に調整することが難しいという課題があった。また、レーザ光Ｌを目視しながら方位角を調整するため、レーザ光Ｌが眼球に入射する可能性があった。
【０００７】
また、特許文献１に記載のアンテナ角度調整方法は水平方向軸１を有するログペリオディックアンテナ等のようなアンテナ１には適用することができるが、図９に示す開口アンテナ、例えばホーンアンテナ１Ａの場合には水平方向軸がないため、レーザ発光器及び照準を用いても、対向設置されたホーンアンテナ１Ａの設置位置や設置角度を調整することができない。仮にホーンアンテナ１Ａにレーザ発光器や照準を取り付けることができたとしても、ホーンアンテナ１Ａの基端部からその一面（同図では上面）に沿ってレーザ光Ｌを照射することになり、レーザ光Ｌの照射方向は対向設置されたホーンアンテナ１Ａの開口面に対して垂直にならず、ホーンアンテナ１Ａの設置角度を読み取ることが難しく、ホーンアンテナ１Ａの設置位置や設置角度を簡単には調整することができないという課題があった。
【０００８】
また、特許文献２に記載のアンテナ方位角調整方法の場合には、アンテナの方位角を調整する際に、アンテナ本体の所望の方位角方向と地図上で選択した所定の目標物との間の角度を求めるようにしているため、方位角の調整作業が煩雑で、地図上での方位角測定では誤差を生じ易いという課題があった。また、この技術は方位角を調整することを目的とする方法であってアンテナの仰角を調整することができないという課題があった。
【０００９】
本発明は、上記課題を解決するためになされたもので、ホーンアンテナのような開口アンテナの設置角度を簡単且つ高精度に調整することができ、また必要に応じて意図的に設置角度を高精度にずらすことができるアンテナ設置角度調整装置を提供することを目的としている。
【課題を解決するための手段】
【００１０】
本発明の請求項１に記載のアンテナ設置角度調整装置は、互いに対向する二つの開口アンテナそれぞれの設置位置を調整する際に、上記各開口アンテナの開口部にそれぞれ装着して用いられるアンテナ設置角度調整装置であって、上記開口部に装着され且つ上記開口部の大きさに応じて拡縮する枠体と、この枠体に取り付けられ且つ互いに対向する開口アンテナの設置角度をそれぞれ調整する角度調整機構と、を備えたことを特徴とするものである。
【００１１】
また、本発明の請求項２に記載のアンテナ設置角度調整装置は、請求項１に記載の発明において、上記角度調整機構は、上記枠体の一辺中央に取り付けられた角度測定用の目盛または目盛板と、この目盛または目盛板の基点に一端が連結される紐と、を有することを特徴とするものである。
【００１２】
また、本発明の請求項３に記載のアンテナ設置角度調整装置は、請求項１または請求項２に記載の発明において、上記枠体は、一対の支柱と、これら一対の支柱に従ってそれぞれ移動自在に取り付けられた一対のガイド支柱と、これら一対のガイド支柱に従って上記各支柱の間隔を拡縮調整する調整部材と、を有することを特徴とするものである。
【００１３】
また、本発明の請求項４に記載のアンテナ設置角度調整装置は、請求項１〜請求項３のいずれか１項に記載の発明において、上記調整部材は、上記ガイド支柱の両端部にそれぞれ取り付けられたネジ部材と、このネジ部材に装着された弾性部材と、を有することを特徴とするものである。
【発明の効果】
【００１４】
本発明の請求項１〜請求項４に記載の発明によれば、ホーンアンテナのような開口アンテナの設置角度を簡単且つ高精度に調整することができ、また必要に応じて意図的に設置角度を高精度にずらすことができるアンテナ設置角度調整装置を提供することができる。
【発明を実施するための最良の形態】
【００１５】
以下、図１〜図７に示す実施形態に基づいて本発明を説明する。尚、図１は本発明のアンテナ設置角度調整装置の一実施形態をホーンアンテナに装着した使用状態を示す平面図、図２は図１に示すアンテナ設置角度調整装置をホーンアンテナに装着した使用状態を示す側面図、図３は図１に示すアンテナ設置角度調整装置をホーンアンテナに装着した使用状態を示す正面図、図４は対向配置されたホーンアンテナ間の方位角を調整した状態を示す平面図、図５は図４に示す使用状態を示す側面図、図６は図４に示すホーンアンテナ間の仰角を調整する状態を示す側面図、図７は図１に示すアンテナ設置角度調整装置とホーンアンテナとの間に隙間がある状態を示す正面図である。
【００１６】
本実施形態のアンテナ設置角度調整装置１０は、例えば図１〜図３に示すように開口アンテナ（例えば、ホーンアンテナ）２０の開口部に装着し、図５、図６に示すよう互いに離間して配置された支持体３０Ａ、３０Ｂにそれぞれ昇降可能に取り付けられたホーンアンテナ２０Ａ、２０Ｂ間の設置位置及び設置角度を調整するために用いられる。例えば電波暗室内でホーンアンテナ２０の指向特性等のアンテナ特性や高周波電子部品等の高周波特性等を測定する場合には、互いに対向する二つのホーンアンテナ２０Ａ、２０Ｂの設置位置や設置角度を正確に調整する必要がある。図５、図６にそれぞれ示すように、一方の支持体３０Ａに基準ホーンアンテナ２０Ａを設置し、他方の支持体３０Ｂに試験用ホーンアンテナ２０Ｂを設置することによって試験用ホーンアンテナ２０Ｂのアンテナ特性を測定することができる。また、ホーンアンテナ２０Ａ、２０Ｂを対向させて設置することにより、高周波電子部品の高周波特性等を測定することができる。
【００１７】
アンテナ設置角度調整装置１０は、図１〜図３に示すように、ホーンアンテナ２０の拡径する開口端に装着され且つ開口部に応じて拡縮した枠体１１と、この枠体１１に取り付けられ且つ互いに対向する二つのホーンアンテナ２０間の設置角度をそれぞれ調整する角度調整機構１２と、を備えている。
【００１８】
上記枠体１１は、例えば図１〜図３に示すように、左右一対の支柱１１Ａ、１１Ａと、これら一対の支柱１１Ａ、１１Ａに従って上下方向に移動自在（具体的には摺動自在）に取り付けられ且つ細長い枠状に形成された上下一対のガイド支柱１１Ｂ、１１Ｂと、これら一対のガイド支柱１１Ｂ、１１Ｂの枠内で左右方向にそれぞれ摺動させて支柱１１Ａ、１１Ａの間隔を調整する左右一対の調整用部材（例えば、ネジ部材）１１Ｃ、１１Ｃと、を有している。
【００１９】
上記左右のネジ部材１１Ｃ、１１Ｃは、図１に示すように、それぞれの先端がガイド支柱１１Ｂの枠内に配置された左右一対の支柱１１Ａ、１１Ａの側面に接触し、これらの支柱１１Ａ、１１Ａをホーンアンテナ２０の開口部に合わせて上下のガイド支柱１１Ｂ、１１Ｂに沿って互いに接近させ、あるいは離間させて左右の支柱１１Ａ、１１Ａの間隔を拡縮調整して、これらの支柱１１Ａ、１１Ａでホーンアンテナ２０の開口部を左右から挟持し、支柱１１Ａ、１１Ａをホーンアンテナ２０に固定するようになっている。ガイド支柱１１Ｂには目盛を刻み、ガイド支柱１１Ｂの目盛によって支柱１１Ａの移動量を測定できるようにしておくことが好ましい。
【００２０】
また、ネジ部材１１Ｃは、図１に示すようにコイルスプリング１１Ｄを有し、コイルスプリング１１Ｄはガイド支柱１１Ｂの枠内に位置する軸部に装着されている。従って、左右のネジ部材１１Ｃ、１１Ｃを締め付けた時に、左右のネジ部材１１Ｃ、１１Ｃは、コイルスプリング１１Ｄ、１１Ｄを介して左右の支柱１１Ａ、１１Ａをホーンアンテナ２０の開口部に弾力的に固定することができる。また、上下のガイド支柱１１Ｂ、１１Ｂは、ホーンアンテナ２０の開口部に合わせて互いに左右の支柱１１Ａ、１１Ａに沿って上下方向に移動し、その間隔を拡縮調整してホーンアンテナ２０の開口部を上下から挟持するようになっている。
【００２１】
上記角度調整機構１２は、図１に示すように、枠体１１の一辺、即ち本実施形態では上側のガイド支柱１１Ｂの上面中央に取り付けられた角度測定用の目盛板１２Ａと、この目盛板１２Ａに一端が取り外し自在に連結された糸１２Ｂと、を有している。糸１２Ｂの材質は、角度測定時の張力に耐え得る強度を有するものであれば特に制限されるものではないが、目盛板１２Ａを用いて角度を測定する関係上、細いものが好ましい。
【００２２】
目盛板１２Ａは細長で矩形状を呈するプレート状に形成されている。目盛板１２Ａの長手方向の中央には半円状に形成された角度測定用の目盛１２Ｃが形成されている。この目盛１２Ｃを用いることによって、図４に示すように対向する二つのホーンアンテナ２０Ａ、２０Ｂを結ぶ糸１２Ｂと目盛１２Ｃの中心線１２Ｄとのなす角度から一方のホーンアンテナ２０Ａに対する他方のホーンアンテナ２０Ｂの方位角を測定することができる。目盛１２Ｃの円弧を結ぶ結線は目盛板１２Ａの長辺上に位置している。また、目盛板１２Ａは、その長辺が図１、図２に示すようにガイド支柱１１Ｂの長辺と一致するようにガイド支柱１１Ｂの上面に固定され、一部がガイド支柱１１Ｂから水平に張り出しているが、角度が測定できれば、必ずしも水平に張り出す必要はない。また、枠体１１に直接目盛を刻んでも良い。
【００２３】
目盛１２Ｃの結線の中心（基点）１２Ｅには糸１２Ｂの一端が着脱自在に連結され、糸１２Ｂの他端は自由端になっている。糸１２Ｂの自由端を、目盛１２Ｃの中心線１２Ｄ、つまり目盛１２Ｃの９０°の角度に合わせて引っ張ると、糸１２Ｂはホーンアンテナ２０の開口面を直交する。この糸１２Ｂは、互いに対向して設置された二つのホーンアンテナ２０、２０間の間隔よりも長くなっている。従って、糸１２Ｂは、二つのアンテナ角度調整装置１０、１０で共用するようになっている。
【００２４】
次に、アンテナ設置角度調整装置１０を用いて、図４、図５における互いに対向する二つのホーンアンテナ２０Ａ、２０Ｂの設置位置及び設置角度を調整する方法について説明する。まず、二つのホーンアンテナ２０Ａ、２０Ｂを離間した支持体３０Ａ、３０Ｂにそれぞれ取り付けて固定する。そして、二つのホーンアンテナ２０Ａ、２０Ｂにアンテナ角度調整装置１０、１０をそれぞれ装着する。
【００２５】
アンテナ設置角度調整装置１０を装着するには、図１〜図３に示すように、枠体１１の左右の支柱１１Ａ、１１Ａ及び上下のガイド支柱１１Ｂ、１１Ｂそれぞれの間隔をホーンアンテナ２０の開口部よりも大きく設定し、上方のガイド支柱１１Ｂをホーンアンテナ２０の開口部に載せるように枠体１１を嵌め込み、上方のガイド支柱１１Ｂの長辺がホーンアンテナ２０の開口部の上辺と平行になるように枠体１１を配置する。次いで、上方のガイド支柱１１Ｂの左右のネジ部材１１Ｃ、１１Ｃをそれぞれ操作し、コイルスプリング１１Ｄ、１１Ｄを介して左右の支柱１１Ａ、１１Ａを弾力的に押圧しながら同一寸法ずつ内方へ移動させてこれら左右の支柱１１Ａ、１１Ａそれぞれでホーンアンテナ２０の開口部を挟持し、この状態で左右の支柱１１Ａ、１１Ａをそれぞれ固定する。
【００２６】
その後、下方のガイド支柱１１Ｂを左右の支柱１１Ａ、１１Ａに沿って引き上げてホーンアンテナ２０の下辺に接触させる。この状態で下方のガイド支柱１１Ｂの左右のネジ部材１１Ｃ、１１Ｃを用いて左右の支柱１１Ａ、１１Ａをホーンアンテナ２０の開口部に固定する。以上の操作によってアンテナ角度調整装置１０のホーンアンテナ２０への装着を終了する。アンテナ角度調整装置１０は、図４、図５に示すように、互いに対向する二つのホーンアンテナ２０Ａ、２０Ｂそれぞれに装着される。
【００２７】
次いで、角度調整機構１２を用いて対向する二つのホーンアンテナ２０Ａ、２０Ｂの方位角を調整する。それには、一方のホーンアンテナ２０Ａに装着されたアンテナ角度調整装置１０の糸１２Ｂの自由端を他方のホーンアンテナ２０Ｂに装着された角度調整機構１２の基点１２Ｅに連結する。この際、糸１２Ｂが極力弛まないように糸１２Ｂを張る。この段階では、二つのホーンアンテナ２０Ａ、２０Ｂは開口面が平行になっていないため、糸１２Ｂは図１に示すように中心線１２Ｅから傾いている。そこで、一方のホーンアンテナ２０Ａを、支持体３０Ａを中心にして回転させて目盛板１２Ａの中心線１２Ｄを糸１２Ｂに一致させる。また、他方のホーンアンテナ２０Ｂについても同様に支持体３０Ｂを中心に回転させて中心線１２Ｅを糸１２Ｂに一致させる。この操作によって、二つのホーンアンテナ２０Ａ、２０Ｂは、図４、図５に示すようにそれぞれの方位が揃ってそれぞれの開口面が互いに平行になる。また、二つのホーンアンテナ２０Ａ、２０Ｂが正確に同一の高さに設置されている場合には、二つのホーンアンテナ２０Ａ、２０Ｂは、それぞれの開口面が互いに完全に真向かいで平行を保って設置されたことになる。
【００２８】
二つのホーンアンテナ２０Ａ、２０Ｂが異なる高さでそれぞれの開口面を対向させて平行にするためには、図６に示すように二つのホーンアンテナ２０Ａ、２０Ｂのアンテナ角度調整装置１０をそれぞれ９０°回転させた状態になるように付け替える。この操作により角度調整機構１２がホーンアンテナ２０Ａ、２０Ｂの開口部の側面に位置し、一方のホーンアンテナ２０Ａに対する他方のホーンアンテナ２０Ｂの仰角を角度調整機構１２によって測定することができ、その仰角に合わせて二つのホーンアンテナ２０Ａ、２０Ｂを傾斜させることができ、二つのホーンアンテナ２０Ａ、２０Ｂそれぞれの開口面を互いに向かい合わせて平行に対向させることができる。
【００２９】
この際、下方のガイド支柱１２Ｂとホーンアンテナ２０の開口面との間に、図７で示すような隙間δがあっても構わない。
【００３０】
以上説明したように本実施形態によれば、互いに対向するホーンアンテナ２０Ａ、２０Ｂそれぞれの開口部に装着され且つそれぞれの開口部の大きさに応じて拡縮する枠体１１と、この枠体１１に取り付けられ且つ対向するホーンアンテナ２０Ａ、２０Ｂとの設置角度を調整する角度調整機構１２と、を備えているため、対向する二つのホーンアンテナ２０Ａ、２０Ｂに枠体１１、１１をそれぞれ装着するだけで、アンテナ角度調整装置１０、１０を二つのホーンアンテナ２０Ａ、２０Ｂに装着することができ、各枠体１１に取り付けられた角度調整機構１２を介して一方のホーンアンテナ２０Ａに対する他方のホーンアンテナ２０Ｂの方位角または仰角を簡単且つ高精度に測定することができ、二つのホーンアンテナ２０Ａ、２０Ｂそれぞれの設置角度を容易且つ高精度に調整することができる。また、二つのホーンアンテナ２０Ａ、２０Ｂそれぞれの設置角度を意図的に変えて測定する必要がある場合には、角度調整機構１２を用いることによって二つのホーンアンテナ２０Ａ、２０Ｂそれぞれの設置角度を所望の角度に定量的且つ確実に設定することができる。更に、オープンサイト等屋外にホーンアンテナ２０Ａ、２０Ｂを設置する場合であっても、直射日光に左右されることなく、簡単且つ高精度に設置角度を調整することができる。また、ホーンアンテナ２０Ａ、２０Ｂの設置角度を測定する際にレーザ光を用いないため、レーザ光が測定者の眼球に入射することはない。
【００３１】
また、本実施形態によれば、角度調整機構１２は、枠体１１の一辺中央に取り付けられた目盛板１２Ａと、この目盛板１２Ａの基点１２Ｅに一端が固定された糸１２Ｂと、を有するため、糸１２Ｂで対向する二つのホーンアンテナ２０Ａ、２０Ｂに装着された角度調整機構１２、１２の基点１２Ｅ、１２Ｅに連結するだけで簡単且つ高精度にホーンアンテナ２０Ａ、２０Ｂの設置角度を測定することができる。また、枠体１１は、一対の支柱１１Ａ、１１Ａと、これら一対の支柱１１Ａ、１１Ａに従って移動自在に取り付けられた一対のガイド支柱１１Ｂ、１１Ｂと、これら一対のガイド支柱１１Ｂ、１１Ｂに従って各支柱１１Ａ、１１Ａの間隔を調整するネジ部材１１Ｃ、１１Ｃと、を有するため、ネジ部材１１Ｃ、１１Ｃを操作することによって、ホーンアンテナ２０Ａ、２０Ｂそれぞれの開口部の大きさに左右されることなく、枠体１１をホーンアンテナ２０Ａ、２０Ｂそれぞれの開口部に簡単に装着することができる。また、ネジ部材１１Ｃは、ガイド支柱１１Ｂの両端部にそれぞれ取り付けられ、しかもコイルスプリング１１Ｄを有するため、コイルスプリング１１Ｄ、１１Ｄの働きで枠体１１をホーンアンテナ２０Ａ、２０Ｂそれぞれの開口部に確実に固定することができる。
【００３２】
尚、上記実施形態ではホーンアンテナ２０を例に挙げて説明したが、開口面を有する開口アンテナであれば本発明を適用することができる。上記実施形態では枠体１１の間隔を調整し固定する手段としてネジ部材１１Ｃ及びコイルスプリング１１Ｄを例に挙げて説明したが、コイルスプリング以外の弾性部材との組み合わせであっても良い、また、本発明のアンテナ角度調整装置は、電波暗室内は勿論のこと、屋外でも用いることができる。
【産業上の利用可能性】
【００３３】
本発明は、互いに対向する二つの開口アンテナの設置位置及び設置角度を調整する際に好適に利用することができる。
【図面の簡単な説明】
【００３４】
【図１】本発明のアンテナ設置角度調整装置の一実施形態をホーンアンテナに装着した使用状態を示す平面図である。
【図２】図１に示すアンテナ設置角度調整装置をホーンアンテナに装着した使用状態を示す側面図である。
【図３】図１に示すアンテナ設置角度調整装置をホーンアンテナに装着した使用状態を示す正面図である。
【図４】対向配置されたホーンアンテナ間の方位角を調整した状態を示す平面図である。
【図５】図４に示す使用状態を示す側面図である。
【図６】図４示すホーンアンテナ間の仰角を調整する状態を示す側面図である。
【図７】図１に示すアンテナ設置角度調整装置とホーンアンテナとの間に隙間がある状態を示す正面図である。
【図８】従来のアンテナ角度調整方法を用いてアンテナ角度を調整する状態を示す側面図である。
【図９】図８に示すアンテナ角度調整方法をホーンアンテナに適用した状態を示す側面図である。
【符号の説明】
【００３５】
１０    アンテナ角度調整装置
１１    枠体
１１Ａ  支柱
１１Ｂ  ガイド支柱
１１Ｃ  ネジ部材（調整部材）
１１Ｄ  コイルスプリング（スプリング）
１２    角度調整機構
１２Ａ  目盛板
１２Ｂ  糸
１２Ｃ  目盛
２０、２０Ａ、２０Ｂ  ホーンアンテナ（開口アンテナ）
【図１】
2006203374.tif 000003
【図２】
2006203374.tif 000004
【図３】
2006203374.tif 000005
【図４】
2006203374.tif 000006
【図５】
2006203374.tif 000007
【図６】
2006203374.tif 000008
【図７】
2006203374.tif 000009
【図８】
2006203374.tif 000010
【図９】
2006203374.tif 000011